(57)【要約】【課題】登録キーワードが含まれる読影レポートのリストを短時間で表示させることができる医用レポート作成支援装置およびそのレポート表示制御方法を提供する。【解決手段】本実施形態に係る医用レポート作成支援装置は、読影レポートに含まれる文字の中に、予め登録された登録キーワードが含まれているか否かを検索する登録キーワード抽出部と、前記読影レポートの文字の中に前記登録キーワードが含まれるとき、その前記読影レポートを特定するレポート識別情報と、前記登録キーワードとを関連付けて保存するキーワード関連保存部と、操作者が入力した検索キーワードを受け付ける検索キーワード受付部と、受け付けた前記検索キーワードの中に前記キーワード関連保存部に保存された前記登録キーワードが含まれるときは、その登録キーワードに関連付けられたレポート識別情報が示す前記読影レポートを検索結果として出力する検索結果表示制御部と、を備える。【選択図】  図２
2015207261.tif 000002
【特許請求の範囲】
【請求項１】
読影レポートに含まれる文字の中に、予め登録された登録キーワードが含まれているか否かを検索する登録キーワード抽出部と、
前記読影レポートの文字の中に前記登録キーワードが含まれるとき、その前記読影レポートを特定するレポート識別情報と、前記登録キーワードとを関連付けて保存するキーワード関連保存部と、
操作者が入力した検索キーワードを受け付ける検索キーワード受付部と、
受け付けた前記検索キーワードの中に前記キーワード関連保存部に保存された前記登録キーワードが含まれるときは、その登録キーワードに関連付けられたレポート識別情報が示す前記読影レポートを検索結果として出力する検索結果表示制御部と、
を備える医用レポート作成支援装置。
【請求項２】
読影レポートを保存する際に、その読影レポートに含まれる文字の中に、予め登録された登録キーワードが含まれているか否かを検索して、その読影レポートの中から前記登録キーワードを抽出する登録キーワード抽出部と、
保存する前記読影レポートから前記登録キーワードが抽出されたとき、その保存する前記読影レポートの読影レポートＩＤと、抽出された前記登録キーワードが示す登録キーワードＩＤとを関連付けて保存するキーワード関連保存部と、
任意の文字列の入力を受け付けて、検索対象となる検索キーワードの入力を受け付ける検索キーワード受付部と、
受け付けた前記検索キーワードの中に前記キーワード関連保存部に保存された前記登録キーワードが含まれるときは、その登録キーワードが示す前記登録キーワードＩＤに関連付けられた読影レポートＩＤが示す前記読影レポートをリストとして一覧表示するリスト表示制御部と、
を備える医用レポート作成支援装置。
【請求項３】
特定の文字を抽出するためのキーワードを前記登録キーワードとして登録する検索登録部を
さらに備える請求項２に記載の医用レポート作成支援装置。
【請求項４】
前記検索登録部は、
前記検索キーワードの入力を受け付けたユーザのユーザＩＤごとに、または前記検索キーワードの入力を受け付けたユーザの所属科ごとに、前記登録キーワードを登録する
請求項３に記載の医用レポート作成支援装置。
【請求項５】
前記検索キーワード受付部は、
受け付けた前記検索キーワードの中から所定の使用率を超えた検索キーワードを、特定の文字を抽出するための前記登録キーワードとして設定する
請求項２から４のいずれか１項に記載の医用レポート作成支援装置。
【請求項６】
前記キーワード関連保存部は、
前記検索登録部において前記登録キーワードが新たに登録されたときは、保存されている前記読影レポートの中からその新たに登録された登録キーワードを検索し、その新たに登録された登録キーワードが示す登録キーワードＩＤと、保存されている前記読影レポートの読影レポートＩＤとの関連付けを更新する
請求項３から５のいずれか１項に記載の医用レポート作成支援装置。
【請求項７】
読影レポートに含まれる文字の中に、予め登録された登録キーワードが含まれているか否かを検索する登録キーワード抽出ステップと、
前記読影レポートの文字の中に前記登録キーワードが含まれるとき、その前記読影レポートを特定するレポート識別情報と、前記登録キーワードとを関連付けて保存するキーワード関連保存ステップと、
操作者が入力した検索キーワードを受け付ける検索キーワード受付ステップと、
受け付けた前記検索キーワードの中に前記キーワード関連保存部に保存された前記登録キーワードが含まれるときは、その登録キーワードに関連付けられたレポート識別情報が示す前記読影レポートを検索結果として出力する検索結果表示制御ステップと、
を含む医用レポート作成支援装置のレポート表示制御方法。
【発明の詳細な説明】
【技術分野】
【０００１】
本発明の実施形態は、医用レポート作成支援装置およびそのレポート表示制御方法に関する。
【背景技術】
【０００２】
近年、多くの病院において、医師や読影医などのオペレータは、画像診断装置を用いて検査画像について読影を行っている。また、画像診断装置を用いて読影された読影結果は、一般的には、医用レポート作成支援装置を用いてまとめられるようになっており、多くの医用レポート作成支援装置が検討されている。
【０００３】
例えば、医用レポート作成支援装置の一例であって、読影レポートを作成する作成者と、症例の名称とを関連付けて、症例の名称に関する定型文を格納するとともに、外部から作成者の識別情報を取得すると、その取得した作成者と、関連づけられた症例の名称と、格納されている定型文とを表示する読影レポート作成支援装置が開示されている（特許文献１参照）。
【０００４】
特許文献１に記載された読影レポート作成支援装置に関する発明は、症例の名称に定型文が予め割り当てられているので、読影レポートの作成者が定型文を検索する必要がなく、読影レポートを容易に作成することができるようになっている。
【先行技術文献】
【特許文献】
【０００５】
【特許文献１】特開２００８−２１７３３６号公報
【発明の概要】
【発明が解決しようとする課題】
【０００６】
ところで、一般的な読影レポート作成支援装置に関する発明においては、例えば、読影レポートを作成したり、読影レポートの参照や修正などをする場合には、データベースに保存されたオーダー情報に含まれている部位や検査種別だけでなく、実施コメントの内容や所見に含まれるキーワードを検索し、該当する読影レポートを抽出するようになっている。
【０００７】
しかしながら、技術の革新により１検査に要する時間が短縮され、また、１日当たりに実施できる検査数が増加しているため、作成される読影レポートが増加している。また、上述した定型文を格納している読影レポート作成支援装置もあり、実施コメントの内容や所見に含まれるキーワードを検索する場合、一般的には、Ｌｉｋｅ検索（あいまい検索）を行うので、読影レポートの検索結果を表示するまでに時間を要し、読影効率を低下させていた。
【０００８】
そこで、登録キーワードが含まれる読影レポートのリストを短時間で表示させることができる医用レポート作成支援装置およびそのレポート表示制御方法が望まれていた。
【課題を解決するための手段】
【０００９】
本実施形態に係る医用レポート作成支援装置は、読影レポートに含まれる文字の中に、予め登録された登録キーワードが含まれているか否かを検索する登録キーワード抽出部と、前記読影レポートの文字の中に前記登録キーワードが含まれるとき、その前記読影レポートを特定するレポート識別情報と、前記登録キーワードとを関連付けて保存するキーワード関連保存部と、操作者が入力した検索キーワードを受け付ける検索キーワード受付部と、受け付けた前記検索キーワードの中に前記キーワード関連保存部に保存された前記登録キーワードが含まれるときは、その登録キーワードに関連付けられたレポート識別情報が示す前記読影レポートを検索結果として出力する検索結果表示制御部と、を備える。
【図面の簡単な説明】
【００１０】
【図１】本実施形態に係る医用レポート作成支援装置を備えた医用レポート作成システムの概略の構成の一例を示した概略構成図。
【図２】本実施形態に係る医用レポート作成支援装置の機能を示す機能ブロック図。
【図３】本実施形態に係る医用レポート作成支援装置の構成を示すハードウエアブロック図。
【図４】本実施形態に係る医用レポート作成支援装置が、読影レポートの所見に記入されたコメントを検索したり、実施コメントに記入されたコメントを検索したりして、キーワード検索をし、登録キーワードによる関連付けを保存する登録キーワードテーブル作成処理を示したフローチャート。
【図５】オペレータによって設定される登録キーワードと、登録キーワードＩＤ（Identification）の一例を示す説明図。
【図６】本実施形態に係る医用レポート作成支援装置において、登録キーワードデータベースに登録された登録キーワードと、読影レポートとを関連付けたキーワードテーブルを示した説明図。
【図７】本実施形態に係る医用レポート作成支援装置において、登録キーワードデータベースに設定された複数の登録キーワードと、読影レポートとを関連付けたキーワードテーブルを示した説明図。
【図８】本実施形態に係る医用レポート作成支援装置が、オペレータ（ユーザまたは操作者）によるログインを受け付けて、読影レポートの中から任意のキーワードを検索キーワードとして読影レポートを検索し、該当する読影レポートをリストとして一覧表示するリスト一覧表示処理を示したフローチャート。
【図９】本実施形態において、オペレータ（ユーザ）ごとに登録されたユーザ設定の登録キーワードを示したユーザテーブルの説明図。
【図１０】本実施形態において、所属科ごとに設定された所属科設定の登録キーワードを示した所属科テーブルの説明図。
【図１１】本実施形態に係る医用レポート作成支援装置のリスト表示制御部が、表示部に読影レポートのリストを一覧表示させた場合の一例を示した説明図。
【図１２】本実施形態に係る医用レポート作成支援装置の表示部に、Ｎｏ．１の読影レポートを表示させた場合の表示例を示す図。
【図１３】本実施形態に係る医用レポート作成支援装置のキーワード関連保存部において、検索キーワードを示す検索キーワードＩＤの使用率を示した説明図。
【発明を実施するための形態】
【００１１】
本実施形態に係る医用レポート作成支援装置は、読影レポートに含まれる文字の中に、予め登録された登録キーワードが含まれているか否かを検索する登録キーワード抽出部と、読影レポートの文字の中に登録キーワードが含まれるとき、その読影レポートを特定するレポート識別情報と、登録キーワードとを関連付けて保存するキーワード関連保存部と、操作者が入力した検索キーワードを受け付ける検索キーワード受付部と、受け付けた検索キーワードの中にキーワード関連保存部に保存された登録キーワードが含まれるときは、その登録キーワードに関連付けられたレポート識別情報が示す読影レポートを検索結果として出力する検索結果表示制御部と、を備える。
【００１２】
以下、本実施形態に係る医用レポート作成支援装置１００について、添付図面を参照して説明する。
【００１３】
図１は、本実施形態に係る医用レポート作成支援装置１００を備えた医用レポート作成システム７００の概略の構成の一例を示した概略構成図である。
【００１４】
図１に示すように、医用レポート作成システム７００は、医用レポート作成支援装置１００、モダリティ２００、画像サーバ３００、読影装置４００、レポート管理サーバ５００およびネットワーク６００などを備えて構成されている。
【００１５】
医用レポート作成支援装置１００は、例えば、医師が患者を診察したり、または読影医が画像データを参照し、読影レポートを作成する際の作成支援を行ったりする情報処理装置である。具体的には、医用レポート作成支援装置１００は、登録キーワードを用いてその登録キーワードが含まれる読影レポートを検索し、検索された読影レポートをリストとして一覧表示することができる。
【００１６】
モダリティ２００は、被検体を撮影するための装置（撮影装置）を分類するときに使用される医用システム名である。例えば、モダリティ２００として、Ｘ線ＣＴ（Computed Tomography）装置、ＭＲＩ（Magnetic Resonance Imaging）装置（磁気共鳴診断装置）、超音波診断装置、核医学診断装置などがある。本実施の形態では、いずれの装置であってもモダリティ２００として適用することができる。
【００１７】
画像サーバ３００は、医用画像管理システムを構成する画像管理サーバであり、モダリティ２００によって被検体を撮影することにより得られた画像データを、保管、閲覧、管理するサーバである。
【００１８】
読影装置４００は、モダリティ２００によって被検体を撮影することにより得られた画像データに対し、読影医師が読影を行う装置である。具体的には、読影装置４００は、画像データを表示して、読影医に読影結果を作成させるための装置である。読影装置４００は、読影医によって読影が行われると、読影対象の画像と所見とを含む読影レポートを作成して、その読影レポートに関する読影レポート情報をレポート管理サーバ５００に格納する。
【００１９】
レポート管理サーバ５００は、読影装置４００で作成された読影レポート情報をデータベースとして記憶するデータベース記憶部を備えている。レポート管理サーバ５００は、医用レポート作成支援装置１００の要求に応じて、読影レポート情報のデータベースを検索し、その結果をネットワーク６００を介して、医用レポート作成支援装置１００に送信するようになっている。
【００２０】
ネットワーク６００は、医用レポート作成システム７００に接続されている各装置を相互に接続し、画像データや読影レポート情報などを共有するようになっている。
【００２１】
本実施形態では、医用レポート作成システム７００は、医用レポート作成支援装置１００、画像サーバ３００、読影装置４００またはレポート管理サーバ５００が、検査機関、各診療科などにおける各医療機関の装置によって構成され、画像データや読影レポート情報などを共有することができる。
【００２２】
次に、本実施形態に係る医用レポート作成支援装置１００の機能について説明する。
【００２３】
図２は、本実施形態に係る医用レポート作成支援装置１００の機能を示す機能ブロック図である。
【００２４】
図２に示すように、この医用レポート作成支援装置１００は、検索登録部１１０、登録キーワードデータベース１１５、登録キーワード抽出部１２０、キーワード関連保存部１２５、読影レポート保存部１３０、検索キーワード受付部１３５およびリスト表示制御部１４０などを備えて構成されている。
【００２５】
検索登録部１１０は、特定の文字を抽出するためのキーワードを、予め登録キーワードとして登録するようになっている。例えば、医師や読影医などのオペレータにより設定される登録キーワードを、検索登録部１１０は受け付ける。また、検索登録部１１０は、リストの検索時に未登録のキーワードが入力された場合には、そのキーワードを登録するようになっている。なお、検索登録部１１０は、特定の文字を登録することができればよく、数字でも文字列でも、または数字と文字の組み合わせであっても良い。
【００２６】
登録キーワードデータベース１１５は、検索登録部１１０で登録された登録キーワードを格納するデータベースである。
【００２７】
登録キーワード抽出部１２０は、読影レポートに含まれる文字の中に、予め登録された登録キーワードが含まれているか否かを検索するようになっている。また、登録キーワード抽出部１２０は、読影レポートを保存する際に読影レポートを取得して、その読影レポートに入力された文字の中から登録キーワードが含まれているか否かを検索し、登録キーワードデータベース１１５に格納された登録キーワードをその読影レポートの中から抽出することもできる。なお、取得した読影レポートは、読影レポート保存部１３０に格納されるようになっている。
【００２８】
キーワード関連保存部１２５は、読影レポートの文字の中に登録キーワードが含まれるとき、その読影レポートを特定するレポート識別情報と、登録キーワードとを関連付けて保存するようになっている。例えば、キーワード関連保存部１２５は、保存する読影レポートから登録キーワードが抽出されたとき、その保存する読影レポートの読影レポートＩＤ（Identification）と、抽出された登録キーワードを示す登録キーワードＩＤ（Identification）とを関連付けて保存する。
【００２９】
検索キーワード受付部１３５は、オペレータ（操作者）が入力した検索キーワードを受け付けるようになっている。例えば、検索キーワード受付部１３５は、任意の文字列の入力を受け付けて、検索対象となる検索キーワードの入力を受け付ける。
【００３０】
リスト表示制御部（検索結果表示制御部）１４０は、受け付けた検索キーワードの中にキーワード関連保存部１２５に保存された登録キーワードが含まれるときは、その登録キーワードに関連付けられたレポート識別情報が示す読影レポートを検索結果として出力するようになっている。例えば、リスト表示制御部１４０は、受け付けた検索キーワードの中に、キーワード関連保存部１２５に保存された登録キーワードが含まれるときは、その登録キーワードが示す登録キーワードＩＤに関連付けられた読影レポートＩＤが示す読影レポートをリストとして一覧表示する。また、受け付けた検索キーワードが、キーワード関連保存部１２５に登録キーワードとして登録されていない場合には（登録キーワードに含まれていない場合）、レポート管理サーバ５００の読影レポート情報のデータベースを検索し、その結果を表示するようになっている。
【００３１】
図３は、本実施形態に係る医用レポート作成支援装置１００（図２）の構成を示すハードウエアブロック図である。
【００３２】
図３に示すように、医用レポート作成支援装置１００は、ＣＰＵ（Central Processing Unit）１６０、ＲＯＭ（Read Only Memory）１６５、ＲＡＭ（Random Access Memory）１７０、ネットワークインターフェース部１７５、操作部１８０、表示部１８５、記憶部１９０、内部バス１９５などを備えて構成されている。
【００３３】
ＣＰＵ１６０は、ＲＯＭ１６５に格納されている各種プログラムをＲＡＭ１７０にロードして、そのプログラムを展開することにより、各種プログラムの機能を実現することができる。ＲＡＭ１７０は、ワークエリア（作業用メモリ）として利用されるようになっている。ＲＯＭ１６５は、各種プログラムを格納するようになっている。ＲＯＭ１６５に格納されている各種プログラムには、図２で示した検索登録部１１０、登録キーワード抽出部１２０、検索キーワード受付部１３５およびリスト表示制御部１４０などの機能を実現するためのプログラムが含まれる。
【００３４】
ネットワークインターフェース部１７５は、ネットワーク６００（図１）を介して、画像サーバ３００（図１）から画像データを取得したり、読影装置４００（図１）やレポート管理サーバ５００（図１）から読影レポート情報を取得したりするためのインターフェース部である。
【００３５】
操作部１８０は、読影レポートにおける登録キーワードの入力、検索キーワードの入力、編集または更新などを行う入力装置により構成されている。例えば、操作部１８０は、キーボードやマウスなどにより構成されている。
【００３６】
表示部１８５は、登録キーワードが含まれる読影レポートをリストとして一覧表示したり、画像サーバ３００から取得した画像データや、読影装置４００やレポート管理サーバ５００から取得した読影レポート情報を、個別にそれぞれ表示したりする表示部として機能するようになっている。なお、表示部１８５は、液晶ディスプレイやモニタなどによって構成されている。
【００３７】
記憶部１９０は、記憶メモリを構成する記憶部であり、ＲＡＭやハードディスクなどによって構成されている。本実施の形態では、記憶部１９０は、例えば、登録キーワードデータベース１１５、キーワード関連保存部１２５および読影レポート保存部１３０を構成するようになっている。
【００３８】
これにより、本実施形態では、医用レポート作成支援装置１００は、ＲＯＭ１６５に格納されているプログラムを実行することにより、図２に示した医用レポート作成支援装置１００の機能を実現することができるようになっている。
【００３９】
（読影レポートリスト表示処理）
次に、本実施形態に係る医用レポート作成支援装置１００が、ネットワーク６００を経由して、共有された読影レポートの中から登録キーワードを検索し、その登録キーワードを含む読影レポートをリストとして一覧表示する読影レポートリスト表示処理について説明する。
【００４０】
なお、本実施形態では、読影レポートリスト表示処理は、読影レポートを作成して保存する際に、その読影レポートと、登録キーワードとを関連付けて保存する登録キーワードテーブル作成処理と、関連付けられた読影レポートを登録キーワードに応じて一覧表示するリスト一覧表示処理とから構成される。また、本実施形態では、検索された読影レポートをリストとして一覧表示したものを読影レポートリストという。
【００４１】
（登録キーワードテーブル作成処理）
図４は、本実施形態に係る医用レポート作成支援装置１００（図１）が、読影レポートの所見に記入されたコメントを検索したり、実施コメントに記入されたコメントを検索したりして、キーワード検索をし、登録キーワードによる関連付けを保存する登録キーワードテーブル作成処理を示したフローチャートである。なお、図４において、Ｓに数字を付した符号は、フローチャートの各ステップを示している。
【００４２】
まず、医用レポート作成支援装置１００は、特定の文字を抽出するためのキーワードを、登録キーワードとして設定する（ステップＳ００１）。例えば、検索登録部１１０は、医者や読影医などのオペレータにより操作部１８０によって設定される登録キーワードを受け付ける。また、検索登録部１１０は、リストの検索時に未登録のキーワードが入力された場合には、そのキーワードを登録する。
【００４３】
図５は、オペレータによって設定される登録キーワードと、登録キーワードＩＤ（Identification）の一例を示す説明図である。
【００４４】
図５に示すように、この説明図では、登録キーワードＩＤと、登録キーワードの欄を備えている。検索登録部１１０は、登録キーワードデータベース１１５に、登録キーワードを登録するようになっている。例えば、登録キーワードとして、肺気腫と、心筋梗塞と、血管内治療が登録され、これらに対応する登録キーワードＩＤとして、ＫＹ１、ＫＹ２、ＫＹ３がそれぞれ登録されている。
【００４５】
オペレータが読影レポートの作成を完了すると、例えば、医用レポート作成支援装置１００の登録キーワード抽出部１２０は、完成した読影レポートを読影レポート保存部１３０に保存する（ステップＳ００３）。
【００４６】
ここで、登録キーワード抽出部１２０は、読影レポートを保存する際に、その読影レポートに入力された文字の中に、登録キーワードデータベース１１５に登録した登録キーワードが含まれているか否かを検索して（ステップＳ００５）、登録済みの登録キーワードが含まれている場合には（ステップＳ００５のＹｅｓ）、読影レポートから対応する登録キーワードを抽出する(ステップＳ００７)。
【００４７】
キーワード関連保存部１２５は、読影レポート保存部１３０に保存する読影レポートから登録済みの登録キーワードが抽出されたときは、その保存する読影レポートの読影レポートＩＤと、抽出された登録キーワードが示す登録キーワードＩＤとを関連付けて保存し(ステップＳ００９)、登録キーワードテーブル作成処理を終了する。
【００４８】
一方、登録キーワード抽出部１２０は、読影レポートを保存する際に、その読影レポートに入力された文字の中に登録済みの登録キーワードが含まれていない場合には（ステップＳ００５のＮｏ）、そのまま登録キーワードテーブル作成処理を終了する。
【００４９】
図６は、本実施形態に係る医用レポート作成支援装置１００において、登録キーワードデータベース１１５に登録された登録キーワードと、読影レポートとを関連付けたキーワードテーブルを示した説明図である。
【００５０】
図６に示すように、この説明図では、登録キーワードＩＤと、登録キーワードと、読影レポートＩＤ（Identification）の欄が設けられており、図５で登録された登録キーワードが使用されている読影レポートＩＤと、登録キーワードとが関連付けられている。
【００５１】
例えば、肺気腫という登録キーワードは、読影レポートＩＤが、ＲＰ１とＲＰ３とＲＰ５の各読影レポートで使用されていることを示している。また、心筋梗塞という登録キーワードは、読影レポートＩＤが、ＲＰ２とＲＰ４の各読影レポートで使用されていることを示している。また、血管内治療という登録キーワードは、読影レポートＩＤが、ＲＰ５とＲＰ６の各読影レポートで使用されていることを示している。
【００５２】
また、図６に示したキーワードテーブルは、一つの登録キーワードに限定されるものではなく、複数の登録キーワードが該当する読影レポートを関連付けるようにしてもよい。
【００５３】
図７は、本実施形態に係る医用レポート作成支援装置１００において、登録キーワードデータベース１１５に登録された複数の登録キーワードと、読影レポートとを関連付けたキーワードテーブルを示した説明図である。
【００５４】
図７では、登録キーワードＩＤと、読影レポートＩＤの欄が設けられており、複数の登録キーワードの組み合わせを示す登録キーワードＩＤと、その登録キーワードが使用されている読影レポートＩＤとが関連付けられている。
【００５５】
例えば、ＫＹ１（肺気腫）とＫＹ２（心筋梗塞）とが使用されている読影レポートは、読影レポートＩＤが、ＲＰ７とＲＰ９の各読影レポートであることを示している。また、ＫＹ１（肺気腫）とＫＹ３（血管内治療）とが使用されている読影レポートは、読影レポートＩＤが、ＲＰ５とＲＰ８の各読影レポートであることを示している。また、ＫＹ２（心筋梗塞）とＫＹ３（血管内治療）とが使用されている読影レポートは、読影レポートＩＤが、ＲＰ１０とＲＰ１１の各読影レポートであることを示している。
【００５６】
次に、登録キーワードＩＤと読影レポートＩＤとが関連付けられており、読影レポートをリストとして一覧表示するリスト一覧表示処理について説明する。
【００５７】
（リスト一覧表示処理）
図８は、本実施形態に係る医用レポート作成支援装置１００が、オペレータ（ユーザまたは操作者）によるログインを受け付けて、読影レポートの中から任意のキーワードを検索キーワードとして読影レポートを検索し、該当する読影レポートをリストとして一覧表示するリスト一覧表示処理を示したフローチャートである。なお、図８において、Ｓに数字を付した符号は、フローチャートの各ステップを示している。
【００５８】
まず、オペレータは、操作部１８０を操作して、ログイン（これを、ユーザログインともいう。）を行う（ステップＳ１０１）。この場合、医用レポート作成支援装置１００は、操作部１８０を介して、オペレータ（ユーザや操作者）を特定する。
【００５９】
次に、オペレータは、検索に使用するキーワードをオペレータ（ユーザ）ごとに割り当てられた登録キーワードを優先使用するか、または、オペレータ（ユーザ）の所属する所属科ごとに割り当てられた登録キーワードを優先使用するかを設定する（ステップＳ１０３）。この場合、医用レポート作成支援装置１００は、操作部１８０を介して、ユーザ設定か所属科設定を登録するとともに、登録キーワードデータベース１１５に登録されている登録キーワードを、ユーザ設定か所属科設定かを登録する。
【００６０】
これにより、検索キーワード受付部１３５は、検索キーワードの入力を受け付けたオペレータのユーザＩＤごとに、または検索キーワードの入力を受け付けたオペレータの所属科ごとに、登録キーワードを優先的に検索する。
【００６１】
図９は、本実施形態において、オペレータ（ユーザ）ごとに登録されたユーザ設定の登録キーワードを示したユーザテーブルの説明図である。
【００６２】
図９に示すように、ユーザテーブルには、オペレータ（ユーザ）を示すユーザＩＤ（Identification）と、オペレータ（ユーザ）ごとに登録された登録キーワードを示す登録キーワードＩＤの欄が設けられている。
【００６３】
図９では、ＵＳＥＲ１というオペレータ（ユーザ）には、肺気腫を示す登録キーワードＩＤ（ＫＹ１）が登録されている。また、ＵＳＥＲ２というオペレータ（ユーザ）には、肺気腫を示す登録キーワードＩＤ（ＫＹ１）と、心筋梗塞を示す登録キーワードＩＤ（ＫＹ２）が登録されている。また、ＵＳＥＲ３というオペレータ（ユーザ）には、血管内治療を示す登録キーワードＩＤ（ＫＹ３）が登録されている。また、ＵＳＥＲ４というオペレータ（ユーザ）には、心筋梗塞を示す登録キーワードＩＤ（ＫＹ２）が登録されている。
【００６４】
このように、オペレータ（ユーザ）ごとに登録キーワードを登録することができるので、各登録キーワードに対応させて、図６で示した読影レポートを示す読影レポートＩＤと、登録キーワードＩＤとを関連付けることができ、読影レポートの検索効率を高めることができる。
【００６５】
図１０は、本実施形態において、所属科ごとに登録された所属科設定の登録キーワードを示した所属科テーブルの説明図である。
【００６６】
図１０に示すように、所属科テーブルには、ユーザの所属を示す所属科と、所属科ごとに登録された登録キーワードを示す登録キーワードＩＤの欄が設けられている。
【００６７】
図１０では、放射線科に属するオペレータ（ユーザ）には、肺気腫を示す登録キーワードＩＤ（ＫＹ１）が登録されている。また、整形外科に属するユーザには、例えば、上腕骨折を示す登録キーワードを示す登録キーワードＩＤ（ＫＹ２０）が登録されている。また、脳神経外科に属するオペレータ（ユーザ）には、肺気腫を示す登録キーワードＩＤ（ＫＹ１）が登録されている。また、循環器内科に属するオペレータ（ユーザ）には、血管内治療を示す登録キーワードＩＤ（ＫＹ３）が登録されている。
【００６８】
このように、ログインしたオペレータ（ユーザ）の所属科ごとに登録キーワードを登録することができるので、各登録キーワードに対応させて、ユーザテーブルと同様に、図６で示した読影レポートを示す読影レポートＩＤと、オペレータ（ユーザ）とを関連付けることができ、読影レポートの検索効率を高めることができる。
【００６９】
図８のフローチャートに戻り、オペレータがキーワード検索を実行するために任意の文字列を入力すると、医用レポート作成支援装置１００の検索キーワード受付部１３５は、任意の文字列の入力を受け付けて、検索対象となる検索キーワードの入力を受け付ける（ステップＳ１０５）。
【００７０】
ここで、検索キーワードとは、オペレータがキーワード検索をする際に、検索のために入力する任意の文字列のことをいう。例えば、オペレータが、キーボードによる入力や、テキストボックスに文字列を入力する際に、任意に入力することができる文字列のことを検索キーワードという。
【００７１】
一方、登録キーワードは、登録キーワードデータベース１１５に登録されているため、例えば、オペレータが文字列を入力する際に、後述するプルダウンボタンなどにより選択可能に設定することができる。
【００７２】
検索キーワード受付部１３５は、オペレータによって任意の文字列の入力を受け付け、受け付けた検索対象となる検索キーワードが、登録キーワードデータベース１１５に登録キーワードとして格納されているか否か、またキーワード関連保存部１２５において登録キーワードを示す登録キーワードＩＤと読影レポートＩＤとが関連付けられているかを検索する（ステップＳ１０７）。
【００７３】
リスト表示制御部１４０は、検索キーワード受付部１３５で受け付けた検索キーワードの中に、キーワード関連保存部１２５に保存された登録キーワードが含まれるときは、その登録キーワードが示す登録キーワードＩＤに関連付けられた読影レポートＩＤが示す読影レポートをリストとして一覧表示する（ステップＳ１０９）。
【００７４】
例えば、ステップＳ１０１において、ＵＳＥＲ１のオペレータがログインした場合であって、ステップＳ１０３において、ユーザ設定が設定されており（図９参照）、肺気腫を検索の対象として検索キーワードが入力された場合には、リスト表示制御部１４０は、図６のキーワードテーブルを参照しながら、肺気腫を示す登録キーワードＩＤ（ＫＹ１）に関連付けられた読影レポートＩＤ（ＲＰ１、ＲＰ３、ＲＰ５）が示す読影レポートを一覧表示する。
【００７５】
また、例えば、ステップＳ１０１において、ＵＳＥＲ３のオペレータがログインした場合であって、ステップＳ１０３において、所属科設定が設定されており（図１０参照）、血管内治療を検索の対象として検索キーワードが入力された場合には、リスト表示制御部１４０は、図６のキーワードテーブルを参照しながら、血管内治療を示す登録キーワードＩＤ（ＫＹ３）に関連付けられた読影レポートＩＤ（ＲＰ５、ＲＰ６）が示す読影レポートを一覧表示する。
【００７６】
そして、本実施形態に係る医用レポート作成支援装置１００は、読影レポートをリストとして一覧表示すると、リスト一覧表示処理を終了する。
【００７７】
図１１は、本実施形態に係る医用レポート作成支援装置１００のリスト表示制御部１４０が、表示部１８５に読影レポートのリストを一覧表示させた場合の一例を示した説明図である。
【００７８】
図１１に示すように、医用レポート作成支援装置１００の表示部１８５には、左側に検索条件が表示され、右側に読影レポートリストが表示されている。
【００７９】
例えば、表示部１８５の左側には、検索条件として、ユーザＩＤ、所属科、患者ＩＤ、検査種別、部位、検査コメント、所見、Ｉｍｐｒｅｓｓｉｏｎ、検査目的の欄などが記載されている。
【００８０】
例えば、ユーザＩＤの欄のテキストボックス１５０には、ＵＳＥＲ１が入力されている。また、所属科の欄のテキストボックス１５１には、放射線科と入力されている。また、テキストボックス１５１の右隣には、プルダウンボタン１５２が設けられている。これは、オペレータがテキストボックス１５０にユーザＩＤを入力すると、オペレータの属する所属科をプルダウンボタン１５２で選択することができる。
【００８１】
また、所見の欄のテキストボックス１５３は、オペレータによる任意の文字列の入力を受け付けて、検索対象となる検索キーワードの入力を受け付ける。ここで、入力する文字列が登録キーワードの場合は、テキストボックス１５３の右側にあるプルダウンボタン１５４から、ユーザＩＤごとまたは所属科ごとに登録されている登録キーワードを選択して設定することができる。
【００８２】
また、Ｉｍｐｒｅｓｓｉｏｎの欄のテキストボックス１５５は、同様に、オペレータの任意の文字列の入力を受け付けて、検索対象となる検索キーワードの入力を受け付ける。また、入力する文字列が登録キーワードの場合には、テキストボックス１５５の右側にあるプルダウンボタン１５６から、ユーザＩＤごとまたは所属科ごとに登録されている登録キーワードを選択して設定することができる。
【００８３】
また、検査目的の欄のテキストボックス１５７には、任意の文字列である検索キーワードを入力することができる。
【００８４】
さらに、検索を実行するための実行ボタン１５８や、登録キーワードの優先使用の設定をするための設定ボタン１５９が設けられている。
【００８５】
一方、表示部１８５の検索条件の右側に、読影レポートリストとして、例えば、読影レポートが一覧表示され、各読影レポートについて、「Ｎｏ．」、「患者ＩＤ」、「患者名」、「年齢」、「検査種別」などの欄などが記載されている。
【００８６】
例えば、読影レポートのＮｏ．１は、患者ＩＤは「２０１００１１Ａ」であり、患者名は「Ａ」であり、年齢は「８０才」であり、検査種別は「ＭＲ」であることを示している。また、読影レポートのＮｏ．２は、患者ＩＤは「２０１２００１Ｂ」であり、患者名は「Ｂ」であり、年齢は「５６才」であり、検査種別は「ＣＴ」であることを示している。また、読影レポートのＮｏ．３は、患者ＩＤは「２００９０２１Ｃ」であり、患者名は「Ｃ」であり、年齢は「４３才」であり、検査種別は「ＣＴ」であることを示している。
【００８７】
また、読影レポートのＮｏ．４は、患者ＩＤは「２０１１００２Ｄ」であり、患者名は「Ｄ」であり、年齢は「５８才」であり、検査種別は「ＭＲ」であることを示している。また、読影レポートのＮｏ．５は、患者ＩＤは「２０１１０３１Ｅ」であり、患者名は「Ｅ」であり、年齢は「３９才」であり、検査種別は「ＰＥＴ」であることを示している。
【００８８】
図１２は、本実施形態に係る医用レポート作成支援装置１００の表示部１８５に、Ｎｏ．１の読影レポートを表示させた場合の表示例である。
【００８９】
図１２に示すように、Ｎｏ．１の読影レポートには、患者ＩＤは、「２０１００１１Ａ」と表示されており、患者名は「Ａ」と表示されている。また、年齢は「８０才」、性別は「男性」、検査種別は「ＭＲ」と表示されている。
【００９０】
また、所見の欄には、「肺気腫の疑いあり」を表示されている。また、Ｉｍｐｒｅｓｓｉｏｎの欄には、「要安静」と表示されている。
【００９１】
以上説明したように、本実施形態に係る医用レポート作成支援装置１００は、オペレータが検索したい任意の文字列である検索キーワードのうち設定されている登録キーワードに関連付けられた読影レポートをリストとして一覧表することができるため、検索効率が向上し、読影効率を向上させることができる。
【００９２】
また、本実施形態では、医用レポート作成支援装置１００は、ステップＳ１０９で読影レポートを一覧表示させた後、オペレータによって入力された検索キーワードの検索履歴に基づいて、登録キーワードを更新するようにしてもよい。
【００９３】
この場合、例えば、登録キーワードとして登録キーワードデータベース１１５に登録されていないキーワードであって、検索として使用される使用率が高い場合には、その検索キーワードの検索キーワードＩＤを登録キーワードＩＤとして登録し、キーワードテーブル（図６参照）を更新するようにしてもよい。
【００９４】
図１３は、本実施形態に係る医用レポート作成支援装置１００のキーワード関連保存部１２５において、検索キーワードを示す検索キーワードＩＤの使用率を示した説明図である。
【００９５】
図１３に示すように、この図では、ユーザＩＤ、検索キーワードＩＤ、使用率の欄が設けられている。例えば、ＵＳＥＲ１のオペレータ(ユーザ)は、キーワードテーブル（図６参照）に登録されていない「撮影」という文字に対応する検索キーワードＩＤ（ＦＤ１）について、使用率が８０％であることを示している。また、ＵＳＥＲ１のオペレータ（ユーザ）は、登録キーワードテーブルに登録されている「肺気腫」という文字に対応する検索キーワードＩＤ（ＫＹ１）について、使用率が２０％であることを示している。
【００９６】
また、ＵＳＥＲ２のオペレータ（ユーザ）は、登録キーワードテーブルに登録されている「肺気腫」という文字に対応する検索キーワードＩＤ（ＫＹ１）について、使用率が１００％であることを示している。また、ＵＳＥＲ３のオペレータ（ユーザ）は、登録キーワードテーブルに登録されている「血管内治療」という文字に対応する検索キーワードＩＤ（ＫＹ３）について、使用率が７０％であることを示している。
【００９７】
この場合、例えば、医用レポート作成支援装置１００のリスト表示制御部１４０は、検索キーワードの使用率を表示部１８５に表示して、受け付けた検索キーワードの中から所定の使用率(例えば、７０％等)を超えた検索キーワードを、特定の文字を抽出するための登録キーワードとしてキーワード関連保存部１２５や登録キーワードデータベース１１５に登録するようにしてもよい。
【００９８】
これにより、図６で示したキーワードテーブルを更新するとともに、登録キーワードに対応する登録キーワードＩＤと、関連付けられる読影レポートＩＤを更新することができるので、読影レポートの検索効率を向上させることができる。
【００９９】
なお、読影レポートＩＤの更新は、この方法に限定されるものではない。例えば、キーワード関連保存部１２５は、検索登録部１１０において登録キーワードが新たに登録されたときは、保存されている読影レポートの中から新たに設定されたその登録キーワードを検索し、その新たに登録された登録キーワードが示す登録キーワードＩＤと、保存されている読影レポートの読影レポートＩＤとの関連付けを更新するようにしてもよい。
【０１００】
また、図１１で示した読影レポートリストについても、例えば、登録キーワードに優先順位を割り当てて、読影レポートのリストを並び替えるようにしてもよい。さらに、検索された回数や読影レポートの閲覧数に応じて、その回数の多い順に上から表示するようにしてもよい。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１０２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１０３】
１００  医用レポート作成支援装置 
１１０  検索登録部
１１５  登録キーワードデータベース
１２０  登録キーワード抽出部
１２５  キーワード関連保存部
１３０  読影レポート保存部
１３５  検索キーワード受付部
１４０  リスト表示制御部
１６０  ＣＰＵ
１６５  ＲＯＭ
１７０  ＲＡＭ
１７５  ネットワークインターフェース部
１８０  操作部
１８５  表示部
１９０  記憶部
１９５  内部バス
２００  モダリティ
３００  画像サーバ
４００  読影装置
５００  レポート管理サーバ
６００  ネットワーク
７００  医用レポート作成システム 
【図１】
2015207261.tif 000003
【図２】
2015207261.tif 000004
【図３】
2015207261.tif 000005
【図４】
2015207261.tif 000006
【図５】
2015207261.tif 000007
【図６】
2015207261.tif 000008
【図７】
2015207261.tif 000009
【図８】
2015207261.tif 000010
【図９】
2015207261.tif 000011
【図１０】
2015207261.tif 000012
【図１１】
2015207261.tif 000013
【図１２】
2015207261.tif 000014
【図１３】
2015207261.tif 000015